(57)【要約】【課題】塊で重いような物であっても、簡単、かつ、確実に掴み上げることができるフィンガートングを提供する。【解決手段】それぞれの先端が相互に間隔が開くように作用する弾性力を相互間に設けてなる１対の取手部１１と、１対の取手部１１のそれぞれの先端に設けられた掴み部１２と、１対の取手部のそれぞれの背面に設けられ、手の指が嵌められる指嵌め部１４と、を備える構成とした。【選択図】図１
2018050713.tif 000002
【特許請求の範囲】
【請求項１】
それぞれの先端が相互に間隔が開くように作用する弾性力を相互間に設けてなる１対の取手部と、
前記１対の取手部のそれぞれの先端に設けられた掴み部と、
前記１対の取手部のそれぞれの背面に設けられ、手の指が各々嵌められる指嵌め部と、
を備える、ことを特徴とするフィンガートング。
【請求項２】
前記１対の取手部は、一枚の板材を側面視において概略Ｕ字状に折曲して、一体に形成されている、ことを特徴とする請求項１に記載のフィンガートング。
【請求項３】
前記一枚の板材は、金属板材又は樹脂材である、ことを特徴とする請求項１又は２に記載のフィンガートング。
【請求項４】
前記１対の取手部は、少なくとも一方の側端に、前記一方の側端の一部を内側へ略直角に折り曲げて形成した第１の刃部を有する、ことを特徴とする請求項１から請求項３までのいずれか１項に記載のフィンガートング。
【請求項５】
前記１対の取手部は、少なくとも他方の側端に、前記他方の側端の一部を外側に延長させて形成した第２の刃部を有する、ことを特徴とする請求項１から請求項４までのいずれか１項に記載のフィンガートング。
【請求項６】
前記掴み部は、それぞれ前記１対の取手部の内側へ向かって突出している、先端が尖った突起爪を有する、ことを特徴とする請求項１から請求項５までのいずれか１項に記載のフィンガートング。
【請求項７】
前記指嵌め部は、前記指の先が嵌められる袋状をした第１の指嵌め部と、前記指の中間部分が嵌められる概略環状をした第２の指嵌め部とを備える、ことを特徴とする請求項１から請求項６までのいずれか１項に記載のフィンガートング。
【発明の詳細な説明】
【技術分野】
【０００１】
本発明はフィンガートング(挟み器具)に関するものであり、例えば、唐揚げ肉等の食品や直接手で保持し難い物、その他種々の物品を直接手で掴まずに、間接的に保持するのに使用するフィンガートングに関するものである。
【背景技術】
【０００２】
例えば、レストランやスーパーマーケット等において、大皿に盛られた料理等を好みに応じて、自ら小皿やパックに必要量だけ取り分ける挟み器具としてトングが知られている（例えば、特許文献１参照）。また、トングは、一般の家庭で調理をする場合に手を保護する、あるいは衛生面の観点からも使用されている。
【０００３】
従来から知られる一般的なトングの一例を図６に示す。図６に示すトング１００は、弾力性を有するステンレス材等の金属板材をＵ状に折曲して、それぞれの先端が相互に間隔が開くようにしてなる１対の取手部１０１と、取手部１０１のそれぞれの先端に設けられた掴み部１０２とから構成されている。
【先行技術文献】
【特許文献】
【０００４】
【特許文献１】登録実用新案第３１９０６０９号公報
【発明の概要】
【発明が解決しようとする課題】
【０００５】
図６に示したトング１００によれば、各掴み部１０２は、平板状(ヘラ状)に形成されている。そのため、サラダ野菜等の柔らかく軽い食材等を掴み上げることは可能である。
【０００６】
しかしながら、唐揚げ肉等のように、塊で、比較的重いような物を摘まみ上げることは難しい。特に、取手部１０１の長さが大きく、また、掴んだ人の手の指の位置から各掴み部１０２までの距離が大きい場合には、摘まみ上げるのが難しいという問題点があった。
【０００７】
そこで、本発明は上記問題点に鑑みなされたものであり、塊で重いような物であっても、簡単、かつ、確実に掴み上げることができるフィンガートングを提供することを目的としている。
【課題を解決するための手段】
【０００８】
（１）本発明は上記目的を達成するために提案されたものであり、それぞれの先端が相互に間隔が開くように作用する弾性力を相互間に設けてなる１対の取手部と、前記１対の取手部のそれぞれの先端に設けられた掴み部と、前記１対の取手部のそれぞれの背面に設けられ、手の指が各々嵌められる指嵌め部と、を備える、ことを特徴とする。
【０００９】
（２）（１）の構成において、前記１対の取手部は、一枚の板材を側面視において概略Ｕ字状に折曲して、一体に形成されている、ことを特徴とする。
【００１０】
（３）（１）又は（２）の構成において、前記一枚の板材は、金属板材又は樹脂材である、ことを特徴とする。
【００１１】
（４）（１）から（３）までのいずれかの構成において、前記１対の取手部は、少なくとも一方の側端に、前記一方の側端の一部を内側へ略直角に折り曲げて形成した第１の刃部を有する、ことを特徴とする。
【００１２】
（５）（１）から（４）までのいずれかの構成において、前記１対の取手部は、少なくとも他方の側端に、前記他方の側端の一部を外側に延長させて形成した第２の刃部を有する、ことを特徴とする。
【００１３】
（６）（１）から（５）までのいずれかの構成において、前記掴み部は、それぞれ前記１対の取手部の内側へ向かって突出している、先端が尖った突起爪を有する、ことを特徴とする。
【００１４】
（７）（１）から（６）までのいずれかの構成において、前記指嵌め部は、前記指の先が嵌められる袋状をした第１の指嵌め部と、前記指の中間部分が挿入係止される概略環状をした第２の指嵌め部とを備える、ことを特徴とする。
【発明の効果】
【００１５】
本発明によれば、それぞれの先端が相互に間隔が開くように作用する弾性力を相互間に設けてなる１対の取手部と、１対の取手部のそれぞれの先端に設けられた掴み部と、１対の取手部のそれぞれの背面に設けられ、手の指が各々嵌められる指嵌め部と、を備える構成とし、フィンガートングを使用する場合は、１対の取手部の上方から、片方の手の、５本の指の中の２本の指を、それぞれ１対の取手部における指嵌め部に嵌めて、フィンガートングを手の平の中に包み込んだ形で使用することができる。したがって、フィンガートングが手の平に密着し、手とフィンガートングとの一体感が得られる。そのため、塊の食材でも、また、野菜等の柔らかい食材等であっても、掴み部でしっかりと掴み上げて処理作業をすることができる。また、調理の際に、フィンガートングでニンジンや大根を掴んで突き器で突く、あるいはおろし金でおろす等の作業も、突き器の刃、あるいは、おろし金の刃に指をぶつけてケガをするようなことがなくなり、安全に作業を行うことができる。
【図面の簡単な説明】
【００１６】
【図１】本発明の一実施形態に係るフィンガートングの斜視図である。
【図２】図１の矢印Ａ方向から見た同上フィンガートングの側面図である。
【図３】同上フィンガートングの平面図である。
【図４】図３のＢ−Ｂ線矢視断面図である。
【図５】同上フィンガートングの下面図である。
【図６】従来のトングの一例を示す斜視図である。
【発明を実施するための形態】
【００１７】
以下、本発明を実施するための形態(以下、「実施形態」という)を、添付図面に基づいて詳細に説明する。なお、以下の説明では、上下や左右等の方向を示す表現は、絶対的なものではなく、本発明のフィンガートングの各部が描かれている姿勢である場合に適切であるが、その姿勢が変化した場合には姿勢の変化に応じて変更して解釈されるべきものである。また、実施形態の説明の全体を通して同じ要素には同じ番号を付している。
【００１８】
図１から図５は本発明に係るフィンガートング１０を示すものであり、図１はフィンガートング１０の外観斜視図、図２は図１の矢印Ａ方向から見たフィンガートング１０の側面図、図３はフィンガートング１０の平面図、図４は図３のＢ−Ｂ線矢視断面図、図５はフィンガートング１０の下面図である。
【００１９】
図１から図５において、フィンガートング１０は、１対の取手部１１と、１対の取手部１１のそれぞれの先端に設けられた掴み部１２と、１対の取手部１１のそれぞれ一側端に設けられた第１の刃部１３ａ及び他端側に設けられた第２の刃部１３ｂと、１対の取手部１１のそれぞれの背面に設けられた指嵌め部１４と、を備えている。
【００２０】
１対の取手部１１は、例えばステンレス材等、一枚の金属板材を所定の形状にプレス成形してなるものである。なお、取手部１１は、金属板材として、説明しているが、例えば樹脂等であってもよい。１対の取手部１１は、側面視において概略Ｕ字状に折曲されて、互いに向かい合った状態にして形成されている。また、Ｕ字状に折曲された連接部分１１ａには、１対の取手部１１のそれぞれの先端が相互に間隔が開くように作用する弾性力が持たされている。そして、各取手部１１が、図２及び図４中に示す中立の位置から、連接部分１１ａをバネ作用点として相互に回転し、各取手部１１の先端が相互に間隔が開く方向と互いに狭まる方向、すなわち図２及び図４中に符号５０で示す矢印Ｃ−Ｏ方向に開閉できるように構成されている。なお、図２及び図４中に符号５０で示す矢印Ｃの方向は閉方向であり、矢印Ｏの方向は開方向である。
【００２１】
掴み部１２は、取手部１１と一体に形成されている。また、掴み部１２の下端側(先端側)には、図２及び図４に示すように、先端が尖った突起爪１５が内側斜め下方に傾斜した状態で、それぞれ２個ずつ、掴み部１２と一体に形成されている。
【００２２】
第１の刃部１３ａは、取手部１１と掴み部１２と一体に形成されている。第１の刃部１３ａは、１対の取手部１１の一側端から略直角に内側に折り曲げられて、１対の取手部１１の一端側に刃先が互いに向かい合う状態にして各々形成されている。
【００２３】
第２の刃部１３ｂは、取手部１１と掴み部１２と一体に形成されている。第２の刃部１３ｂは、１対の取手部１１の他側端から外側に向かって延長した状態で、それぞれの取手部１１の他側端に各々形成されている。
【００２４】
指嵌め部１４は、１対の取手部１１のそれぞれの背面において、各取手部１１の長手方向(連接部分１１ａと掴み部１２を結ぶ方向)の下端側に各々固定して取り付けられている第１の指嵌め部１４Ａと、第１の指嵌め部１４Ａの上方で、かつ、図２に示すように第１の指嵌め部１４Ａとの間に所定の距離Ｓだけ離して各取手部１１に各々固定して取り付けられている第２の指嵌め部１４Ｂとで構成されている。指嵌め部１４(第１の指嵌め部１４Ａと第２の指嵌め部１４Ｂ)は、取手部１１と同じ金属材、例えばステンレス材等の金属板材を所定の形状に成形して作られている。
【００２５】
第１の指嵌め部１４Ａは、第２の指嵌め部１４Ｂ内を通って第２の指嵌め部１４側から向かって来る、図４中に２点鎖線で示す手６０における指６１の指先６１aが嵌められるものである。第１の指嵌め部１４Ａは、下端側が閉じられ、上端側となる第２の指嵌め部１４Ｂ側に開口を設けて袋状に形成されている。
【００２６】
第２の指嵌め部１４Ｂは、長手方向における上下の面に開口を有して、概略環状に形成されている。第２の指嵌め部１４Ｂには、図４に示すように、指先６１ａを第１の指嵌め部１４Ａに嵌めた指６１の根元側の指部分６１ｂが挿入配置されるようになっている。
【００２７】
次に、このように構成されたフィンガートング１０の動作を説明する。まず、フィンガートング１０を使用する人は、１対の取手部１１における連接部分１１ａの上方から、図４に示すように、片方の手６０の、５本の指の中の２本の指６１(例えば、親指と人差し指、又は親指と中指、親指と薬指、親指と小指)をそれぞれ、指嵌め部１４に挿入する。ここでの挿入は、それぞれの指６１は、第２の指嵌め部１４Ｂを通って第１の指嵌め部１４Ａの内部底面１４ａに当接して位置決めされるまで互いに向かい合わせの状態にして挿入する。すなわち、第１の指嵌め部１４Ａと第２の指嵌め部１４Ｂに指６１を嵌める。
【００２８】
また、それぞれ２本の指６１が指嵌め部１４に嵌められると、取手部１１の連接部分１１ａが手の平で包み込まれた状態となり、フィンガートング１０の全体が手６０で包まれた状態で掴まれる。
【００２９】
このようにして手６０でフィンガートング１０を掴み、指嵌め部１４にそれぞれ挿入された２本の指６１を、図２及び図４に示す矢印５０のＯ方向に連接部分１１ａのバネ力に抗して各々拡げると、１対の取手部１１の間、すなわち突起爪１５の間が大きく広がる。また、２本の指６１の力を解くと、１対の取手部１１はそれぞれ連接部分１１ａのバネ復帰力により、元の位置まで自動的に戻る。反対に、指嵌め部１４にそれぞれ挿入させた２本の指６１を図４に示す矢印５０のＣ方向に、連接部分１１ａのバネ力に抗して押すと、１対の取手部１１の間、すなわち突起爪１５の間が狭まる。そして、２本の指６１の力を解くと、１対の取手部１１はそれぞれ連接部分１１ａのバネ復帰力で元の位置まで自動的に戻る。
【００３０】
そして、このように動作するフィンガートング１０を使用して大皿等に盛られた食材、例えば唐揚げ肉や鳥の手羽先やフライドチキン等、塊の食材を小皿やパックに取り分ける場合は、指嵌め部１４にそれぞれ挿入している２本の指６１でそれぞれ１対の取手部１１の間を拡げ、その後、拡げている力を緩めると１対の取手部１１の間が狭まり、同時に、突起爪１５の間に食材が挟まる。
【００３１】
また、食材を挟み終わったら、２本の指６１で、それぞれ１対の取手部１１に内側への力を加える。すると、各掴み部１２の突起爪１５が食材に各々喰い込み、食材をしっかりと掴むことができる。そして、この掴んだ食材を小皿やパックに移し、その後、２本の指６１で１対の取手部１１の間を拡げると、突起爪１５の間に挟んでいる食材を小皿やパック内に放すことができる。
【００３２】
上記使用例では、塊の食材を掴む場合について説明したが、サラダ野菜等の柔らかく軽い食材等を掴み上げることも可能である。
【００３３】
また、フィンガートング１０では、１対の取手部１１の一側端に、取手部１１に対して直角な第１の刃部１３ａを設けている。第１の刃部１３ａでは、例えばトウモロコシの実を削り落としたい場合、第１の刃部１３ａの先端、すなわち刃先をトウモロコシの芯に当て、この状態でトウモロコシの芯を中心にトウモロコシを回転させると、芯から実だけを切り落とすことができる。
【００３４】
また、フィンガートング１０における１対の取手部１１の他側端に、取手部１１の他側端から外側に向かって延長された平刃としてなる第２の刃部１３ｂを設けている。第２の刃部１３ｂでは、例えば魚の鱗を取り除くような場合に、第２の刃部１３ｂを魚の鱗の部分に当て、フィンガートング１０を左右又は前後に動かすと、第２の刃部１３ｂの先端刃で魚の鱗を取り除くことができる。
【００３５】
上述したように、本実施例のフィンガートング１０は、それぞれの先端が相互に間隔が開くように作用する弾性力を相互間(連接部分１１ａ)に設けてなる１対の取手部１１と、１対の取手部１１のそれぞれの先端に設けられた掴み部１２と、１対の取手部１１のそれぞれの背面に設けられ、手６０の指６１を各々挿入係止させる指嵌め部１４と、を備えている。そして、フィンガートング１０を使用する場合は、１対の取手部１１における連接部分１１ａの上方から、片方の手６０の、５本の指の中の２本の指６１を、それぞれ１対の取手部１１における指嵌め部１４に嵌めて、フィンガートング１０を手の平の中に包み込んだ形で使用することができる。このため、フィンガートング１０が手の平に密着し、手の平とフィンガートング１０との一体感が得られる。そのため、塊の食材でも、また、野菜等の柔らかい食材等であっても、掴み部１２でしっかりと掴み上げて処理作業をすることができる。また、調理の際に、フィンガートング１０でニンジンや大根を掴んで突き器で突く、あるいはおろし金でおろす等の作業も、突き器の刃、あるいは、おろし金具の刃に指をぶつけてケガをするようなことがなくなり、安全に作業を行うことができる。
【００３６】
さらに、１対の取手部１１を、一枚の金属板材を使用し、側面視において概略Ｕ字状に折曲して、一体に形成しているので、フィンガートング１０を製造する場合に製造の簡略化が図れ、コストの低減を可能にする。また、一枚の金属板材をプレス成形して、１対の取手部１１と、掴み部１２と、第１の刃部１３ａと、第２の刃部１３ｂと、突起爪１５とを、一体に形成しているので、フィンガートング１０の製造の簡略化が更に可能になる。
【００３７】
また、１対の取手部１１のそれぞれの背面に設けられた指嵌め部１４を、指６１の先端(指先６１ａ)が嵌められる袋状をした第１の指嵌め部１４Ａと、指６１の先端(指先６１ａ)を通して指６１の根元側(指部分６１ｂ)が挿入配置される概略環状をした第２の指嵌め部１４Ｂとで構成しているので、１対の取手部１１の背面に指６１がより密着されて、手６０と一体化され他状態でフィンガートング１０を掴むことができる。これにより、指６１でのフィンガートング１０の操作がし易く、食材等をしっかりと掴むことができる。
【００３８】
なお、本発明は、上記実施形態に限定されるものではなく、本発明の目的を達成できる範囲での変形、改良等は本発明に含まれものである。
【００３９】
例えば、上記実施例では、第１の指嵌め部１４Ａは、下端側を閉じて袋状に形成したものを開示したが、下側を閉じずに、下端側が開いた状態にしてもよいものである。
【００４０】
また、指嵌め部１４を、第１の指嵌め部１４Ａと第２の指嵌め部１４Ｂとを上下に分けて構成した構造を開示したが、第１の指嵌め部１４Ａと第２の指嵌め部１４Ｂを一体化して１個にした構造であってもよいものである。
【符号の説明】
【００４１】
１０        フィンガートング
１１        取手部
１１ａ      連接部分
１２        掴み部
１３ａ      第１の刃部
１３ｂ      第２の刃部
１４        指嵌め部
１４Ａ      第１の指嵌め部
１４ａ      内部底面
１４Ｂ      第２の指嵌め部
１５        突起爪
５０        取手部の回転方向
６０        手
６１        指
６１ａ      指先
６１ｂ      指部分
Ｏ          開方向
Ｃ          閉方向
【図１】
2018050713.tif 000003
【図２】
2018050713.tif 000004
【図３】
2018050713.tif 000005
【図４】
2018050713.tif 000006
【図５】
2018050713.tif 000007
【図６】
2018050713.tif 000008